【手続補正書】
【提出日】平成25年11月11日(2013.11.11)
【手続補正１】
【補正対象書類名】明細書
【補正対象項目名】発明の名称
【補正方法】変更
【補正の内容】
【発明の名称】脱落防止部材、着脱可能装置、画像形成装置、脱落防止部材の着脱可能装置への固定方法及び保持機構
【手続補正２】
【補正対象書類名】明細書
【補正対象項目名】０００１
【補正方法】変更
【補正の内容】
【０００１】
この発明は、複写機、レーザープリンタ、インクジェットプリンタ、印刷機、ファクシミリ、又は、それらの複合機等で例示される画像形成装置と、それに着脱可能に設置され、トナーや液体インクといった現像剤を収納する現像剤容器、プロセスカートリッジ、現像装置、転写装置、定着装置等で例示される着脱可能装置、脱落防止部材、脱落防止部材の着脱可能装置への固定方法及び保持機構に関するものである。
【手続補正３】
【補正対象書類名】明細書
【補正対象項目名】０００５
【補正方法】変更
【補正の内容】
【０００５】
この発明は、上述のような課題を解決するためになされたもので、画像形成装置本体に対して着脱可能に設置される着脱可能装置に、接触式の情報記憶装置を設置した場合であっても、画像形成装置本体のコネクタの本体側端子との位置決め不良による接触不良が生じにくい、脱落防止部材、着脱可能装置、画像形成装置、脱落防止部材の着脱可能装置への固定方法及び保持機構を提供することにある。
【手続補正４】
【補正対象書類名】明細書
【補正対象項目名】０００６
【補正方法】変更
【補正の内容】
【０００６】
この発明の請求項１記載の発明にかかる脱落防止部材は、画像形成装置本体に着脱可能に構成される着脱可能装置に保持され、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板と、を備えた情報記録装置の前記着脱可能装置からの脱落を防止するものであって、前記情報記録装置を固定するための固定部と、前記端子が前記本体側端子に対して近づいて接触するときに、その移動方向に対して交差する仮想平面上を移動でき、且つ、前記端子及び前記穴部若しくは切欠部が露呈された状態で、前記着脱可能装置の前記情報記憶装置が遊挿される凹部からの前記情報記録装置の脱落を防止するための対向部と、を有するものである。
【手続補正５】
【補正対象書類名】明細書
【補正対象項目名】０００７
【補正方法】変更
【補正の内容】
【０００７】
この発明の請求項２記載の発明にかかる脱落防止部材は、画像形成装置本体に着脱可能に構成される着脱可能装置に保持され、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板と、を備えた情報記録装置の前記着脱可能装置からの脱落を防止するものであって、前記情報記録装置が、前記端子が前記本体側端子に対して近づいて接触するときに、その移動方向に対して交差する仮想平面上を移動できるように、且つ、前記端子及び前記穴部若しくは切欠部が露呈された状態で、前記着脱可能装置の前記情報記憶装置が遊挿される凹部からの前記情報記録装置の脱落を防止するように、前記着脱可能装置に固定されるものである。
【手続補正６】
【補正対象書類名】明細書
【補正対象項目名】０００８
【補正方法】変更
【補正の内容】
【０００８】
また、請求項３記載の発明にかかる脱落防止部材は、前記請求項１又は請求項２に記載の発明において、前記脱落防止部材は、面板であるものである。
【手続補正７】
【補正対象書類名】明細書
【補正対象項目名】０００９
【補正方法】変更
【補正の内容】
【０００９】
また、請求項４記載の発明にかかる脱落防止部材は、前記請求項１乃至３のいずれかに記載の発明において、前記端子又は前記突起部の少なくとも一方が挿入される開口が形成されているものである。
【手続補正８】
【補正対象書類名】明細書
【補正対象項目名】００１０
【補正方法】変更
【補正の内容】
【００１０】
また、請求項５記載の発明にかかる脱落防止部材は、前記請求項１乃至３のいずれかに記載の発明において、前記着脱可能装置に対してネジ締結されるものである。
【手続補正９】
【補正対象書類名】明細書
【補正対象項目名】００１１
【補正方法】変更
【補正の内容】
【００１１】
また、請求項６記載の発明にかかる脱落防止部材は、前記請求項１乃至３のいずれかに記載の発明において、前記着脱可能装置に対してスナップフィット止めによって固定されるものである。
【手続補正１０】
【補正対象書類名】明細書
【補正対象項目名】００１２
【補正方法】変更
【補正の内容】
【００１２】
また、請求項７記載の発明にかかる脱落防止部材は、前記請求項１乃至３のいずれかに記載の発明において、前記着脱可能装置に対して溶着により固定されるものである。
【手続補正１１】
【補正対象書類名】明細書
【補正対象項目名】００１３
【補正方法】変更
【補正の内容】
【００１３】
また、請求項８記載の発明にかかる脱落防止部材は、前記請求項１乃至３のいずれかに記載の発明において、前記着脱可能装置に対して接着により固定されるものである。
【手続補正１２】
【補正対象書類名】明細書
【補正対象項目名】００１４
【補正方法】変更
【補正の内容】
【００１４】
また、の請求項９記載の発明にかかる脱落防止部材は、前記請求項１乃至８のいずれかに記載の発明において、前記着脱可能装置の前記画像形成装置本体に対する位置決め部と当接して回り止めとなる当接部が形成されているものである。
【手続補正１３】
【補正対象書類名】明細書
【補正対象項目名】００１５
【補正方法】変更
【補正の内容】
【００１５】
また、請求項１０記載の発明にかかる脱落防止部材は、記請求項１乃至９のいずれかに記載の発明において、前記穴部又は切欠部の内径に、前記突起部に形成された接地用の本体側端子に接触するアース端子が形成されている前記情報記録媒体の前記凹部からの脱落を防止するものである。
【手続補正１４】
【補正対象書類名】明細書
【補正対象項目名】００１６
【補正方法】変更
【補正の内容】
【００１６】
また、発明の請求項１１記載の発明にかかる着脱可能装置は、前記請求項１乃至１０のいずれかに記載の脱落防止部材を備えたものである。
【手続補正１５】
【補正対象書類名】明細書
【補正対象項目名】００１７
【補正方法】変更
【補正の内容】
【００１７】
また、請求項１２記載の発明にかかる着脱可能装置は、前記請求項１１に記載の発明において、内部に現像剤を収容する現像剤容器、プロセスカートリッジ、内部にインクを収容するインクカートリッジ、のうちいずれかであるものである。
【手続補正１６】
【補正対象書類名】明細書
【補正対象項目名】００１８
【補正方法】変更
【補正の内容】
【００１８】
また、請求項１３記載の発明にかかる画像形成装置は、前記請求項１乃至１０のいずれかに記載の脱落防止部材を備えたものである。
【手続補正１７】
【補正対象書類名】明細書
【補正対象項目名】００１９
【補正方法】変更
【補正の内容】
【００１９】
また、請求項１４記載の発明にかかる脱落防止部材の着脱可能装置への固定方法は、画像形成装置本体に着脱可能に構成される着脱可能装置に保持され、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板と、を備えた情報記録装置の前記着脱可能装置からの脱落を防止するものであって、前記着脱可能装置に設けられた凹部に前記情報記録装置を遊挿する工程と、前記情報記録装置が、前記端子が前記本体側端子に対して近づいて接触するときに、その移動方向に対して交差する仮想平面上を移動でき、且つ、前記端子及び前記穴部若しくは切欠部が露呈された状態で、前記脱落防止部材を前記着脱可能装置に固定する工程と、からなるものである。
【手続補正１８】
【補正対象書類名】明細書
【補正対象項目名】００２０
【補正方法】変更
【補正の内容】
【００２０】
また、請求項１５記載の発明にかかる画像形成装置本体に着脱可能に構成される着脱可能装置への情報記録装置の保持機構は、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板とを備えた前記情報記録装置を保持する保持部と、該保持部を覆う蓋とを備え、前記保持部は、前記着脱可能装置の前記画像形成装置への装着方向先端側に形成された凹部と、該凹部内に在り前記情報記録装置が設置される台座部と、前記凹部と前記台座部を外方から囲むように形成された情報記録装置設置壁部とを備え、前記情報記録装置は、前記情報記録装置設置壁部の内側に装着されることで前記装着方向に交差する方向に移動可能に保持されるものである。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２７
【補正方法】変更
【補正の内容】
【００２７】
本発明は、接触式の情報記憶装置が、本体側端子に対して端子が近づいて接触するときの移動方向に対して交差する仮想平面上を移動できるように保持部に保持されている。これにより、画像形成装置本体に対して着脱可能に設置される着脱可能装置に、接触式の情報記憶装置を設置した場合であっても、画像形成装置本体のコネクタの本体側端子との位置決め不良による接触不良が生じにくい、脱落防止部材、着脱可能装置、画像形成装置、脱落防止部材の着脱可能装置への固定方法及び保持機構を提供することができる。
【手続補正２４】
【補正対象書類名】特許請求の範囲
【補正対象項目名】全文
【補正方法】変更
【補正の内容】
【特許請求の範囲】
【請求項１】
画像形成装置本体に着脱可能に構成される着脱可能装置に保持され、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板と、を備えた情報記録装置の前記着脱可能装置からの脱落を防止する脱落防止部材であって、
前記情報記録装置を固定するための固定部と、
前記端子が前記本体側端子に対して近づいて接触するときに、その移動方向に対して交差する仮想平面上を移動でき、且つ、前記端子及び前記穴部若しくは切欠部が露呈された状態で、前記着脱可能装置の前記情報記憶装置が遊挿される凹部からの前記情報記録装置の脱落を防止するための対向部と、
を有することを特徴とする脱落防止部材。
【請求項２】
画像形成装置本体に着脱可能に構成される着脱可能装置に保持され、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板と、を備えた情報記録装置の前記着脱可能装置からの脱落を防止する脱落防止部材であって、
前記情報記録装置が、前記端子が前記本体側端子に対して近づいて接触するときに、その移動方向に対して交差する仮想平面上を移動できるように、
且つ、前記端子及び前記穴部若しくは切欠部が露呈された状態で、前記着脱可能装置の前記情報記憶装置が遊挿される凹部からの前記情報記録装置の脱落を防止するように、前記着脱可能装置に固定されることを特徴とする脱落防止部材。
【請求項３】
前記脱落防止部材は、面板であることを特徴とする請求項１又は請求項２に記載の脱落防止部材。
【請求項４】
前記脱落防止部材は、前記端子又は前記突起部の少なくとも一方が挿入される開口が形成されていることを特徴とする請求項１乃至３のいずれかに記載の脱落防止部材。
【請求項５】
前記脱落防止部材は、前記着脱可能装置に対してネジ締結されることを特徴とする請求項１乃至３のいずれかに記載の脱落防止部材。
【請求項６】
前記脱落防止部材は、前記着脱可能装置に対してスナップフィット止めによって固定されることを特徴とする請求項１乃至３のいずれかに記載の脱落防止部材。
【請求項７】
前記脱落防止部材は、前記着脱可能装置に対して溶着により固定されることを特徴とする請求項１乃至３のいずれかに記載の脱落防止部材。
【請求項８】
前記脱落防止部材は、前記着脱可能装置に対して接着により固定されることを特徴とする請求項１乃至３のいずれかに記載の脱落防止部材。
【請求項９】
前記着脱可能装置の前記画像形成装置本体に対する位置決め部と当接して回り止めとなる当接部が形成されていることを特徴とする請求項１乃至８のいずれかに記載の脱落防止部材。
【請求項１０】
前記穴部又は切欠部の内径に、前記突起部に形成された接地用の本体側端子に接触するアース端子が形成されている前記情報記録媒体の前記凹部からの脱落を防止することを特徴とする請求項１乃至９のいずれかに記載の脱落防止部材。
【請求項１１】
請求項１乃至１０のいずれかに記載の脱落防止部材を備えたことを特徴とする着脱可能装置。
【請求項１２】
請求項１１に記載の着脱可能装置は、
内部に現像剤を収容する現像剤容器、プロセスカートリッジ、内部にインクを収容するインクカートリッジ、のうちいずれかであることを特徴とする着脱可能装置。
【請求項１３】
請求項１乃至１０のいずれかに記載の脱落防止部材を備えたことを特徴とする画像形成装置。
【請求項１４】
画像形成装置本体に着脱可能に構成される着脱可能装置に保持され、前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板と、を備えた情報記録装置の前記着脱可能装置からの脱落を防止する脱落防止部材の前記着脱可能装置への固定方法であって、
前記着脱可能装置に設けられた凹部に前記情報記録装置を遊挿する工程と、
前記情報記録装置が、前記端子が前記本体側端子に対して近づいて接触するときに、その移動方向に対して交差する仮想平面上を移動でき、且つ、前記端子及び前記穴部若しくは切欠部が露呈された状態で、前記脱落防止部材を前記着脱可能装置に固定する工程と、
からなる前記脱落防止部材の前記着脱可能装置への固定方法。
【請求項１５】
画像形成装置本体に着脱可能に構成される着脱可能装置への情報記録装置の保持機構であって、
前記保持機構は、
前記画像形成装置本体と前記着脱可能装置との間で通信される情報が記憶される情報記憶部と、前記画像形成装置本体に設置された本体側端子に接触して、前記画像形成装置本体との間で情報を通信する端子と、該情報記憶部と前記端子とが保持されるとともに、前記画像形成装置本体に設置された突起部が挿入される穴部又は切欠部のうち少なくとも一方が形成された基板とを備えた前記情報記録装置を保持する保持部と、
該保持部を覆う蓋とを備え、
前記保持部は、前記着脱可能装置の前記画像形成装置への装着方向先端側に形成された凹部と、該凹部内に在り前記情報記録装置が設置される台座部と、前記凹部と前記台座部を外方から囲むように形成された情報記録装置設置壁部とを備え、
前記情報記録装置は、前記情報記録装置設置壁部の内側に装着されることで前記装着方向に交差する方向に移動可能に保持されること
を特徴とする着脱可能装置への情報記録装置の保持機構。